(57)【要約】【課題】  床面に畳が敷設された居室内において強固に固定することが可能であるとともに、取り外した後もその痕跡が目立ち難い手摺を提供する。【解決手段】  ブラケット本体１０１は、その基部１０１ａが、畳３０の畳側面３１と敷居５０の敷居側面５１との間に配置される。基部１０１ａに設けられたネジ穴１０１ｅ〜１０１ｈに挿通される固定ネジ１０４ｅ〜１０４ｈが敷居側面５１にねじ込まれることにより、ブラケット本体１０１は敷居側面５１に対し固定される。固定ネジ１０４ｅ〜１０４ｈがねじ込まれることにより、敷居側面５１には穴が形成されるが、ブラケット本体１０１を取り外した後もこの穴は畳３０の畳側面３１によって隠蔽される位置にあるため、その存在が目立たず、意匠性を損なうことがない。【選択図】  図２
2009221824.tif 000002
【特許請求の範囲】
【請求項１】
床面に畳が敷設された居室内で使用される手摺において、
使用者が把持する手摺バーと、
前記手摺バーを下方より支持する支柱と、
前記支柱の下端を固定するブラケットと、を備え、
前記ブラケットは、
前記畳の側面と前記居室の壁面との間に配置される基部と、
前記畳の上面の一部を覆うよう前記基部の上部から延設される上腕部を有し、
且つ、前記基部にはネジ穴が設けられ、前記ネジ穴を挿通する固定ネジが前記居室の壁面にねじ込まれることによって前記居室の壁面に対し固定されることを特徴とする手摺。
【請求項２】
前記ブラケットの上腕部の下面は、前記畳の上面に近接するよう構成されていることを特徴とする請求項１記載の手摺。
【請求項３】
前記ブラケットの基部は前記居室の壁面に沿う方向で前記上腕部より幅広に構成され、前記ネジ穴は前記ブラケットの基部において、その上方が前記上腕部で覆われない位置に設けられていることを特徴とする請求項１または請求項２に記載の手摺。
【請求項４】
前記ネジ穴は前記ブラケットの基部において上方を前記上腕部で覆われる位置に設けられるとともに、前記ネジ穴の軸線が前記壁面から前記畳の方向にかけて上方に傾斜し、且つ前記軸線の仮想延長線が前記上腕部と交差しないよう構成されていることを特徴とする請求項１または請求項２に記載の手摺。
【請求項５】
前記ブラケットは、さらに、前記上腕部の上面に取付けられて前記支柱の下端部を保持する保持部材を有し、
前記保持部材は前記上腕部における取付位置を調整可能に構成され、且つ、前記上腕部の上面から上方に突設された取付部材によって取付けられることを特徴とする請求項２に記載の手摺。
【発明の詳細な説明】
【技術分野】
【０００１】
本発明は、床面に畳が敷設された居室内で、使用者が把持する手摺バーが下方より支柱で支持される手摺に関する。
【背景技術】
【０００２】
床面に畳が敷設された居室内で、使用者が把持する手摺バーが下方より支柱で支持される手摺において、畳上に固定された支持具によって支柱の下端を固定するものが知られている（例えば特許文献１）。この支持具は畳上面に載置され、畳にねじ込み又は差し込みされる固定具によって畳上面に対し固定されるものである。
【０００３】
また、基礎部材等が畳の裏面と床面との間に敷き込まれて固定され、基礎部材に対し支柱の下端が固定される手摺が知られている（例えば特許文献２及び特許文献３）。
【０００４】
【特許文献１】特開２００１−３４９０３１号公報
【特許文献２】特開２０００−２６２５７２号公報
【特許文献３】特開２００３−３４５６７７号公報
【発明の開示】
【発明が解決しようとする課題】
【０００５】
しかしながら、畳上面に載置、固定される支持具によって支柱の下端を固定する手摺においては、畳の剛性が乏しいため、支柱がぐらつき安定性を欠くものであった。また、支持具を取り外した後には畳にねじ込み又は差し込みされた固定具の痕跡が残ってしまうため、意匠性を大きく損なうという問題があった。
【０００６】
また、基礎部材等が畳の裏面と床面との間に敷き込まれて固定される手摺においては、取り外した後に畳に固定具の痕跡が残ることはない。しかしながら、基礎部材等が敷き込まれた位置では畳が床面から浮き上がって傾斜したり、隣合う畳との間に段差が生じるといった不具合を伴うものであった。
【０００７】
本発明は、上記課題を解決するためになされたもので、床面に畳が敷設された居室内において強固に固定することが可能であるとともに、取り外した後もその痕跡が目立ち難い手摺を提供するものである。
【課題を解決するための手段】
【０００８】
この課題を解決するため、本発明の手摺では、床面に畳が敷設された居室内で使用される手摺において、使用者が把持する手摺バーと、手摺バーを下方より支持する支柱と、支柱の下端を固定するブラケットと、を備え、ブラケットは、畳の側面と居室の壁面との間に配置される基部と、畳の上面の一部を覆うよう基部の上部から延設される上腕部を有し、且つ、基部にはネジ穴が設けられ、ネジ穴を挿通する固定ネジが居室の壁面にねじ込まれることによって居室の壁面に対し固定されることとした。
【０００９】
これにより、ブラケットは居室の壁面に固定される為、畳に固定される場合のように支柱のぐらつきが生じず手摺の安定性を向上させることができるだけでなく、固定ネジのねじ込みによって壁面に形成される穴は、手摺を取り外した後も畳の側面で覆われて見え難いため、意匠性も保つことができる。
【００１０】
ここで、ブラケットの上腕部の下面は、畳の上面に近接するよう構成されていることが好ましい
【００１１】
これにより、手摺バーに上方から荷重が加えられブラケットの上腕部が下方に撓んでも、上腕部の下面は畳の上面と当接して反力を受ける構成とし、上腕部の下方への変形を抑制して手摺の安定性を更に向上させる事が可能となる。
【００１２】
また、ブラケットの基部は居室の壁面に沿う方向で上腕部より幅広に構成され、ネジ穴はブラケットの基部において、その上方が上腕部で覆われない位置に設けられていることが好ましい。
【００１３】
ブラケットの基部は、床面に敷設された畳の側面と居室の壁面との間に配置されるため、施工者はブラケットを床面に近い位置に配置しながら、固定ネジのねじ込み作業を行うこととなる。ブラケットの基部において、その上方が上腕部で覆われる位置にネジ穴を設けると、施工者は床面と上腕部とで挟まれた狭い空間内にドライバ等の工具を挿入して固定ネジのねじ込み作業を行う必要があるため、その作業性は非常に悪いものとなる。
本発明によれば、基部においてネジ穴が設けられている位置の上方は上腕部で覆われていないため、上記狭い空間内に工具を挿入してねじ込み作業を行う必要は無く、作業性が向上する。
【００１４】
また、ネジ穴はブラケットの基部において上方を上腕部で覆われる位置に設けられるとともに、ネジ穴の軸線が壁面から畳の方向にかけて上方に傾斜し、且つ軸線の仮想延長線が上腕部と交差しないよう構成されていることが好ましい。
【００１５】
上述のように、ブラケットの基部において上方を上腕部で覆われる位置にネジ穴を設けると作業性が悪いものとなる。しかしながら、ブラケットの基部を居室の壁面に強固に固定するためには、上記位置にネジ穴を設けることが好ましい。
本発明によれば、ネジ穴をブラケットの基部において上方を上腕部で覆われる位置に設けることで固定性を増す一方、ネジ穴の軸線は壁面から畳の方向にかけて上方に傾斜し、且つ軸線の仮想延長線は上腕部と交差しないような構成としている。これにより、固定ネジをねじ込むため床面と上腕部との間に挿入したドライバ等の工具を上腕部と干渉しない程度に傾斜させ、床面から離れた位置で工具を操作することが可能となるため、作業性が大幅に向上する。
【００１６】
また、ブラケットは、さらに、上腕部の上面に取付けられて支柱の下端部を保持する保持部材を有し、保持部材は上腕部における取付位置を調整可能に構成され、且つ、上腕部の上面から上方に突設された取付部材によって取付けられることが好ましい。
【００１７】
ブラケットの上腕部における保持部材の取付位置を調整可能とすることにより、壁面と支柱の下端との間隔が調整可能になる。ここで、保持部材を上腕部に取付ける取付部材を上腕部の上面から上方に突設させているため、上腕部の下面側には別途取付部材を設ける必要が無くことなく、下面側を平滑なものとすることができる。したがって、手摺バーに上方から荷重が加えられ、ブラケットの上腕部が下方に撓み畳上面と当接しても、取付部材による畳上面の損傷が生じない構成とすることが可能となる。
【発明の効果】
【００１８】
本発明によれば、床面に畳が敷設された居室内で、下方より支柱で支持される手摺において、強固に固定され、且つ取り外した後もその痕跡が目立ち難い手摺を提供することが可能となる。
【発明を実施するための最良の形態】
【００１９】
以下、図面に基づいて本発明の実施の形態について説明する。図１は本発明にかかる手摺の使用状態を示す斜視図である。
【００２０】
居室１０内において、床面２０の上面には畳３０が敷設され、また、床面２０に隣設された敷居５０の上方には、約１８２０ｍｍの間隔をおいて柱４０ａ、４０ｂが立設されており、それぞれ立壁７０ａ、７０ｂの端部を構成している。柱４０ａ、４０ｂの間には２枚のふすま６０ａ、６０ｂが配置され、ともに敷居５０上でスライドして開閉可能とされている。
【００２１】
使用者が把持する手摺１の手摺バー３００は、断面がほぼ円形の棒状部材であり、ふすま６０ａ、６０ｂの正面にほぼ水平に配置されている。手摺バー３００は立壁７０ａ、７０ｂの表面７１ａ、７１ｂにそれぞれ当接固定された固定金具５００ａ、５００ｂにより支持されている。また、固定金具５００ａ、５００ｂの間において手摺バー３００が下方に撓むのを抑制するため、手摺バー３００の下方にはジョイント４００を介して支柱２００ほぼ直角に接続されている。支柱２００の下端は、後述するようにブラケット１００によって固定されており、手摺バー３００は支柱２００によって下方より支持される構造とされている。。
【００２２】
図２はブラケット１００の固定部分における拡大図であり、その詳細が確認できるよう、畳３０の側部の一部を切り欠いた状態で図示している。また図３はブラケット１００の分解図である。
【００２３】
手摺ブラケット１００は、大きく分けて敷居５０に固定されるブラケット本体１０１、ブラケット本体１０１の上方に配置される保持部材１０２、及び保持部材１０２の下方の周囲を覆うカバー１０３から構成される。
【００２４】
ブラケット本体１０１は略Ｌ字形に屈曲して形成されており、薄板状の基部１０１ａと、基部１０１ａの上部の中央部に形成された連設部１０１ｂを介して基部１０１ａと略垂直方向に延びる上腕部１０１ｃからなる。連設部１０１ｂが基部１０１ａの上部の中央部に形成されることにより、基部１０１ａは上腕部１０１ｃより左右両側に幅広に構成されることになり、片側で寸法Ｘだけ張り出している。基部１０１ａの上腕部１０１ｃより張り出した部分には、４つのネジ穴１０１ｅ〜１０１ｈ（但しネジ穴１０１ｇは図示しない）が設けられており、それぞれに固定ネジ１０４ｅ〜１０４ｈが挿通される。また、上腕部１０１ｃの上面１０１ｃ’からは、上方に向け雄ネジ状の取付部材１０１ｉが４つ突設されている。
【００２５】
保持部材１０２は、中心軸が略鉛直方向に延びる円筒部１０２ａと、円筒部１０２ａの下端に設けられるフランジ部１０２ｂを有する。円筒部１０２ａはその内部に支柱２００の下端が挿入されるものであって、円筒部１０２ａの側面に複数設けられた挿通孔１０２ｄに挿通されるビス１０５が支柱２００の下端にねじ込まれることによって、支柱２００の下端は円筒部１０２ａに対し固定される。また、フランジ部１０２ｂには寸法Ｙの４つの長孔１０２ｃが形成されている。
【００２６】
保持部材１０２をブラケット本体１０１の上腕部１０１ｃの上面１０１ｃ’に載置すると、取付部材１０１ｉが長孔１０２ｃに挿通してその上端部が臨出する。そして、臨出した取付部材１０１ｉの上端部にナット１０６を螺合させることで、保持部材１０２はブラケット本体１０１の上腕部１０１ｃの上面１０１ｃ’に取付けられる。
【００２７】
長孔１０２ｃ内で取付部材１０１ｉが相対的に動くことで、保持部材１０２はブラケット本体１０１に対し図３の矢印Ａの方向にスライドさせることが可能である。図１に図示する固定金具５００ａ、５００ｂを当接固定している立壁７０ａ、７０ｂの表面７１ａ、７１ｂは、ブラケット本体１０１が固定される敷居５０の敷居側面５１と同一面となっていない場合がある。その場合、寸法Ｙの範囲内で保持部材１０２を矢印Ａ方向にスライドさせ、敷居側面５１と円筒部１０２ａの中心軸との距離Ｚを、表面７１ａ、７１ｂと手摺バー３００との軸心距離と略同一になるように調整して固定する事により、支柱２００を略垂直に設置する事が可能となる。
【００２８】
カバー１０３は下方が開放された椀状の部材であり、その上面中央には貫通孔１０３ａが穿設されている。カバー１０３はこの貫通孔１０３ａに保持部材１０２の円筒部１０２ａを貫通させて取付けられ、取付けた状態ではその側面部１０３ｂがブラケット本体１０１の上腕部１０１ｃ、及び保持部材１０２の円筒部１０２ａの側面を覆うよう構成されている。
【００２９】
図４は、保持部材１０２の円筒部１０２ａの中心軸を含む平面における断面図である。以下、図２乃至図４を参照しながら、ブラケット１００の固定構造について詳述する。
【００３０】
ブラケット本体１０１は、その基部１０１ａが、畳３０の畳側面３１と敷居５０の敷居側面５１との間に配置される。そして、基部１０１ａに設けられたネジ穴１０１ｅ〜１０１ｈに挿通される固定ネジ１０４ｅ〜１０４ｈが敷居側面５１にねじ込まれることにより、ブラケット本体１０１は敷居側面５１に対し固定される。固定ネジ１０４ｅ〜１０４ｈがねじ込まれることにより、敷居側面５１には穴が形成される。しかしながら、ブラケット本体１０１を取り外した後もこの穴は畳３０の畳側面３１によって隠蔽される位置にあるため、その存在が目立たず、意匠性を損なうことがない。
【００３１】
作業者がブラケット本体１０１を敷居側面５１へ固定する際は、ブラケット本体１０１の基部１０１ａを敷居側面５１にあてがい、ドライバ等の工具を操作して固定ネジ１０４ｅ〜１０４ｈのねじ込み作業を行う。基部１０１ａのすぐ下方には床面２０があるため、ねじ込み作業の際には床面２０に手が当たるなどしてその作業性が悪いものとなりやすい。しかし本ブラケット本体１０１では、ネジ穴１０１ｅ〜１０１ｈを、基部１０１ａのうち上方を上腕部１０１ｃで覆われていない位置に設けることで上方に開放空間を確保し、その作業性を改善している。
【００３２】
また、ブラケット本体１０１の上腕部１０１ｃは、上面１０１ｃ’側に保持部材１０２を取付けるための取付部材１０１ｉを設けているため、下面１０１ｃ’’側に別途取付部材を設ける必要が無いため、平滑なものとされている。上腕部１０１ｃは畳３０の畳上面３２の一部を覆うように延びており、上腕部１０１ｃの下面１０１ｃ’’は畳上面３２と近接するよう取付けられる。
【００３３】
ここで、使用者が手摺バー３００に体重をかけるなどして、ジョイント４００及び支柱２００を介してブラケット本体１０１の上腕部１０１ｃに下向きの荷重Ｆ１が作用すると、ブラケット本体１０１はその弾性変形により連設部１０１ｂ回りのモーメントＭを発生させてこれに抗する。特に荷重Ｆ１が過大な場合には、ブラケット本体１０１の上腕部１０１ｃが下方に撓み、その下面１０１ｃ’’が畳上面３２と当接して反力Ｆ２を受けることとなる。すなわち、過大な荷重Ｆ１がブラケット本体１０１の上腕部１０１ｃに作用すると、ブラケット本体１０１は連設部１０１ｂ回りのモーメントＭに加え、畳上面３２から受ける反力Ｆ２によって抗することとなり、上腕部１０１ｃの下方への変形は抑制され、安定性が向上する。さらにこのとき、上述のように上腕部１０１ｃの下面１０１ｃ’’は平滑なものとされているため、畳上面３２と当接しても損傷させることがない。
【００３４】
尚、上記実施形態では、ブラケット本体１０１の基部１０１ａを敷居側面５１に対し固定ネジ１０４ｅ〜１０４ｈのねじ込みにより固定するものとしているが、本発明の趣旨はこれに限定されるものではない。すなわち、敷居が設けられていない居室であっても、畳側面と、畳側面と対向する壁面や幅木等との間に基部を配置し、固定ネジをそれら壁面や幅木等にねじ込むことで、本発明と同様の作用効果が得られることは明らかである。
【００３５】
次に、図５及び図６に本発明の別の実施形態を示す。本実施例は、上述した実施例のうちブラケット本体１０１を一部改良したものであり、上述した実施例との共通部分については同一の符号を付して説明する。
【００３６】
上述した実施形態では、ブラケット本体１０１の基部１０１ａのうち、上方が上腕部１０１ｃで覆われない左右両側部のみにネジ穴１０１ｅ〜１０１ｈを設け、固定ネジ１０４ｅ〜１０４ｈで敷居側面５１に固定するものとしたが、ブラケット本体１０１を敷居側面５１に強固に固定するためには、上方が上腕部１０１ｃで覆われる基部１０１ａの中央部でも固定を行うことが好ましい。そこで図５及び図６に示す本発明の別の実施形態では基部１０１ｃの中央部にもネジ穴１０１ｊ、１０１ｋを穿設し、これに固定ネジ１０４ｊ、１０４ｋを挿通させて敷居側面５１にねじ込み、固定を行うものである。
【００３７】
しかしながら、上記のようなネジ穴１０１ｊ、１０１ｋを設けると、下方を床面２０に、上面を上腕部１０１ｃで覆われる空間１０７内に工具を挿入してネジ穴１０１ｊ、１０１ｋへ固定ネジを挿通させて敷居５０にねじ込む作業を行うこととなり、工具や作業者の手が床面２０や上腕部１０１ｃに干渉し、作業性の低下が懸念される。
【００３８】
そこで本実施形態のブラケット本体１０１では、さらに、図６に示すようにネジ穴１０１ｊ、１０１ｋの軸線の仮想延長線１０１ｊＬ、１０１ｋＬを、床面に対し角度θで上方に傾斜させている。この角度θは、仮想延長線１０１ｊＬ、１０１ｋＬがそれぞれ上腕部１０１ｃと交差しない程度のものに設定されている。これにより、作業者はドライバ等の工具６００を上方に傾斜させ、床面２０から離れた位置で工具を操作してねじ込み作業を行うことが可能となる。さらに、工具６００は上腕部１０１ｃとも干渉しないため、作業性が大幅に向上するものである。
【図面の簡単な説明】
【００３９】
【図１】本発明にかかる手摺の使用状態を示す斜視図である。
【図２】本発明にかかるブラケットの固定部分における拡大図である。
【図３】本発明にかかるブラケットの分解図である。
【図４】本発明にかかる手摺の断面図である。
【図５】本発明にかかるブラケット本体の斜視図である。
【図６】本発明にかかる手摺の断面図である。
【符号の説明】
【００４０】
１…手摺
１０…居室
２０…床面
３０…畳
３１…畳側面
３２…畳上面
４０ａ、４０ｂ…柱
５０…敷居
５１…敷居側面
６０ａ、６０ｂ…ふすま
７０ａ、７０ｂ…壁面
１００…ブラケット
１０１…ブラケット本体
１０１ａ…基部
１０１ｂ…連設部
１０１ｃ…上腕部
１０２…保持部
１０３…カバー
１０１ｅ〜１０１ｈ、１０１ｊ、１０１ｋ…ねじ穴
１０４ｅ〜１０４ｈ、１０４ｊ、１０４ｋ…固定ネジ
１０１ｊＬ…ねじ穴１０１ｊの軸線の仮想延長線
１０１ｋＬ…ねじ穴１０１ｋの軸線の仮想延長線
２００…支柱バー
３００…手摺バー
４００…ジョイント
５００ａ、５００ｂ…固定金具
６００…工具（ドライバ）
【図１】
2009221824.tif 000003
【図２】
2009221824.tif 000004
【図３】
2009221824.tif 000005
【図４】
2009221824.tif 000006
【図５】
2009221824.tif 000007
【図６】
2009221824.tif 000008